(57)【要約】  本発明による押圧制御式の汎用電子歯科装置（１）は細長い本体（２）から構成され、その内部に、電動モータまたは電動減速機（５）を供給して押圧軸（６）を駆動可能にするバッテリ（３）が配置され、押圧軸は、一連の接続エンドピース（１０）に帰属して細長い本体（２）の内部でロックされる接続エンドピース（１０ａ〜１０ｊ）と協働するように構成され、各エンドピース（１０ａ〜１０ｊ）が、一方では、細長い本体（２）の内部への固定用の固定手段（１３）を含み、他方では、電子基板（４）にあらかじめ組み込まれた制御プログラムの１つを始動可能な、エンドピース接続時に作動される認識手段（１２）を含み、電子基板は上記本体内部に収容され、細長い本体（２）の外面に配置された制御ボタン（７）に接続されており、エンドピース（１０ａ〜１０ｊ）の所定の制御プログラムに応じて電動モータまたは電動減速機（５）を制御することにより上記エンドピースを制御する。【選択図】図５
2021519670.tif 000002
【特許請求の範囲】
【請求項１】
細長い本体（２）から構成され、その内部に、電動モータまたは電動減速機（５）を供給して押圧軸（６）を駆動可能にするバッテリ（３）が配置され、前記押圧軸は、一連の接続エンドピース（１０）に帰属して前記細長い本体（２）の内部でロックされる接続エンドピース（１０ａ〜１０ｊ）と協働するように構成され、前記エンドピース（１０ａ〜１０ｊ）の各々が、一方では、前記細長い本体（２）の内部への固定用の固定手段（１３）を含み、他方では、電子基板（４）にあらかじめ組み込まれた制御プログラムの１つを始動可能な、エンドピース接続時に作動される認識手段（１２）を含み、前記電子基板が前記本体の内部に収容され、この基板が前記細長い本体（２）の外面に配置された制御ボタン（７）に接続されており、前記エンドピース（１０ａ〜１０ｊ）の所定の制御プログラムに応じて前記電動モータまたは電動減速機（５）を制御することにより前記エンドピースを制御することを特徴とする押圧制御式の汎用電子歯科装置。
【請求項２】
前記細長い本体（２）が、作業端部から最も離れた端部側にほぼ円筒形の輪郭を有する第１のスペース（２ａ）を含み、前記スペースがカバー（２ｂ）により閉じられて、その下部でバッテリ（３）を受容することを特徴とする請求項１に記載の汎用電子歯科装置。
【請求項３】
前記第１のスペース（２ａ）の上部は、電動モータまたは電動減速機（５）と押圧軸（６）の上にくるように細長い輪郭を有する制御電子基板（４）をバッテリ（３）の上に設置かつ固定可能であり、前記細長い本体（２）の外側上部に配置された制御ボタン（７）と協働するようにされることを特徴とする請求項２に記載の汎用電子歯科装置。
【請求項４】
前記細長い本体（２）は、前記第１のスペース（２ａ）の延長線上にガイドベース（２ｃ）を含み、前記ガイドベースは、前記押圧軸（６）の駆動を保証する電動モータまたは電動減速機（５）を前記バッテリ（３）の延長線上に配置可能であることを特徴とする請求項２に記載の汎用電子歯科装置。
【請求項５】
前記電気モータまたは電動減速機（５）は、前記押圧軸（６）に前記モータの回転応力を伝達して押圧軸が並進移動できるように、結合要素（８）を介して前記押圧軸（６）と協働する駆動軸（５ａ）を含むことを特徴とする請求項１に記載の汎用電子歯科装置。
【請求項６】
前記結合要素（８）は、電動モータまたは電動減速機（５）の駆動軸（５ａ）が内部に固定される第１の内側ボア（８ｂ）を含むスリーブ（８ａ）から構成され、その一方で前記スリーブ（８ａ）は前記第１のボア（８ｂ）の延長線上に第２の内側ボア（８ｃ）を含み、前記第２の内側ボアがねじ切りされていて、前記装置（１）の前記押圧軸（６）を構成する保護管（６ｂ）に外周で結合されるねじ切りロッド（６ａ）と協働することを特徴とする請求項５に記載の汎用電子歯科装置。
【請求項７】
前記制御電子基板（４）に接続される振動装置（１１）を前記押圧軸（６）の下に含み、対応するエンドピース（１０ａ〜１０ｊ）の内部への波動の拡散を可能にする、請求項１に記載の汎用電子歯科装置。
【請求項８】
前記認識手段（１２）が、前記電子基板（４）に配置された光センサ（４ａ１）により分析されるコード（１２ａ）から構成され、前記細長い本体（２）内にロックされるエンドピース（１０ａ〜１０ｊ）に対応するプログラムを始動可能である、請求項１に記載の汎用電子歯科装置。
【請求項９】
前記認識手段（１２）が、遠隔センサにより分析されるＴａｇまたはＲｆｉｄコードの、前記円筒本体（１００）の外面への印刷から構成されることを特徴とする請求項１に記載の汎用電子歯科装置。
【請求項１０】
前記認識手段（１２）が、前記エンドピース（１０ａ〜１０ｊ）の周辺に配置された端子領域（１２ｂ）から構成され、前記電子基板（４）に配置されたスイッチ（４ａ２）を作動させて、前記細長い本体（２）内にロックされるエンドピース（１０ａ〜１０ｊ）に対応するプログラムを始動可能であることを特徴とする請求項１に記載の汎用電子歯科装置。
【請求項１１】
前記バッテリ（３）の保持および充電を保証する再充電ベースへの前記装置の設置を可能にする充電手段を含むことを特徴とする請求項１に記載の汎用電子歯科装置。
【請求項１２】
前記細長い本体（２）への設置時に前記接続エンドピース（１０ａ〜１０ｊ）の各々をあらかじめ角度的に位置決めする誤作動防止装置（２０）を含むことを特徴とする請求項１に記載の汎用電子歯科装置。
【請求項１３】
前記誤作動防止装置（２０）が、中空の円筒本体（１００）の外周にある平面部（２０ａ、２０ｃ、２０ｅ）により形成されることを特徴とする請求項１２に記載の汎用電子歯科装置。
【請求項１４】
前記平面部（２０ａ、２０ｃ、２０ｅ）が、前記中空の円筒本体（１００）の外側に至る延長部（２０ｂ、２０ｄ、２０ｆ）を有することを特徴とする請求項１２に記載の汎用電子歯科装置。
【請求項１５】
前記平面部（２０ｃ）が、前記中空の円筒本体（１００）の外周に対する肉厚部として設けられることを特徴とする請求項１２に記載の汎用電子歯科装置。
【請求項１６】
前記平面部（２０ｅ）が、前記中空の円筒本体（１００）の厚み内にへこんで形成されることを特徴とする請求項１２に記載の汎用電子歯科装置。
【請求項１７】
前記制御ボタン（７）が、細長い輪郭を有する肉薄横長形状のブレード（７ａ）から構成され、前記本体（２）の上部に取り付けられて、前記押圧軸（６）により貫通される接続領域の上に至り、ユーザに対してその手の位置に応じた容易な使用を保証することを特徴とする請求項１から３のいずれか一項に記載の汎用電子歯科装置。
【請求項１８】
前記接続エンドピース（１０ａ〜１０ｊ）の各々が、内側ボア（１００ａ）を含む中空の円筒本体（１００）から構成され、その外周に、４分の１回転バヨネットシステムから構成されたロック手段（１３）を含み、前記円筒本体（１００）に設けられたその凸部（１３ａ）または溝が、前記細長い本体（２）の内壁に設けられた窪み（１３ｂ）または突起とそれぞれ協働することを特徴とする請求項１に記載の汎用電子歯科装置。
【請求項１９】
前記接続エンドピース（１０ａ〜１０ｊ）の各々が、内側ボア（１００ａ）を含む中空の円筒本体（１００）から構成され、その外周に、弾性変形システム（１３ｃ）から構成されたロック手段（１３）を含み、前記ロック手段は、少なくとも２個の弾性ブレード（１３ｄ）を前記円筒本体（１００）の外周に含み、これらのブレードが、前記接続エンドピース（１０ａ〜１０ｊ）の固定時に、前記細長い本体（２）に設けられた係合輪郭を持つ窓（１３ｅ）に収容されることを特徴とする請求項１に記載の汎用電子歯科装置。
【請求項２０】
前記接続エンドピース（１０ａ〜１０ｊ）の各々が、内側ボア（１００ａ）を含む中空の円筒本体（１００）から構成され、前記円筒本体の外周に、磁石システム（１３ｆ）から構成されたロック手段（１３）を含み、前記ロック手段は、前記円筒本体（１００）の末端でその外周に、磁気充電された金属リング（１３ｇ）を含み、前記金属リングは、前記細長い本体（２）の内部に固定される磁気充電された金属リング（１３ｈ）で磁化されることを特徴とする請求項１に記載の汎用電子歯科装置。
【請求項２１】
前記中空の円筒本体（１００）の前記内側ボア（１００ａ）が、前記押圧軸（６）を前記接続エンドピース（１０ａ〜１０ｊ）内に通過かつ導入可能にする第１の開口部（１００ｂ）を前記ロック手段（１３）の側に含むことを特徴とする請求項１８から２０のいずれか一項に記載の汎用電子歯科装置。
【請求項２２】
単純麻酔または振動麻酔を実施するための接続エンドピース（１０ａ）の前記中空の円筒本体（１００）が、前記第１の開口部（１００ｂ）の反対側に、前記内側ボア（１００ａ）の内部に通じる小径の穴（１００ｄ）を中央に有するねじ切りヘッド（１００ｃ）を含み、前記ねじ切りヘッド（１００ｃ）がニードルホルダ（１４）を固定可能にし、そのニードルの一部（１４ａ）が前記穴（１００ｄ）と協働して前記ボア（１００ａ）の内部に通じて、麻酔液を満たしたカプセル（１５）と密封式に協働し、前記カプセルは、前記接続エンドピース（１０ａ）が前記細長い本体（２）の内部にロックされたとき前記押圧軸（６）に接触する押圧ロッド（１５ａ）を備えることを特徴とする請求項１から２１のいずれか一項に記載の汎用電子歯科装置。
【請求項２３】
前記接続エンドピース（１０ａ）の前記中空の円筒本体（１００）が、その外周に鞘（１００ｅ）を含み、前記鞘が開放位置と閉鎖位置との間でスライドして前記ねじ切りヘッド（１００ｃ）を覆い、前記ニードルホルダ（１４）を保護可能であることを特徴とする請求項２２に記載の汎用電子歯科装置。
【請求項２４】
複合材料の注入用の接続エンドピース（１０ｂ）の前記中空の円筒本体（１００）が、前記第１の開口部（１００ｂ）の反対側に第２の開口部（１１０ａ）を含み、前記第２の開口部は、長手方向のロッド（１１０ｄ）に結合されるピストン（１１０ｃ）を前記内側ボア（１００ａ）の内部に設置かつガイド可能であり、前記ロッドの周囲にはスプリング（１１０ｅ）が配置され、前記ロッド（１１０ｄ）が、前記開口部（１００ｂ）の反対側で、前記中空の円筒本体（１００）に結合される二重注入口の形状の本体（１１０ｆ）を貫通し、複合材料を含むカプセル（１６）を設置かつ固定可能にすることを特徴とする請求項１から２１のいずれか一項に記載の汎用電子歯科装置。
【請求項２５】
複合材料の注入用の接続エンドピース（１０ｂ）の前記中空の円筒本体（１００）が、前記第１の開口部（１００ｂ）の反対側にシングル注入口の形状の本体（１２０ａ）を含み、前記シングル注入口の形状の本体は、二重混合物カプセル（１７）を設置かつ固定するために前記ピストン（１１０ｃ）の前記ロッド（１１０ｄ）により貫通される単一の受容スペース（１２０ｂ）を有することを特徴とする請求項２４に記載の汎用電子歯科装置。
【請求項２６】
シリコーン注入用の接続エンドピース（１０ｃ）の中空の円筒本体（１００）が、前記第１の開口部（１００ｂ）の反対側に、クランク管（１３０ａ）の輪郭を有する延長部を含み、一方で前記第２の開口部（１１０ｂ）は、前記エンドピース（１０ｃ）へのシリコーン充填後、前記接続エンドピースが前記細長い本体（２）に接続されるときに前記押圧軸（６）と協働するプランジャキャップ（１３０ｂ）を用いて閉鎖されることを特徴とする請求項１から２１のいずれか一項に記載の汎用電子歯科装置。
【請求項２７】
液体注入用のエンドピース（１０ｄ）の前記中空の円筒本体（１００）が、前記第１の開口部（１００ｂ）の反対側に、小径の直線管（１４０ａ）に沿って構成されて使い捨てヘッド（１８）を密封式にはめ込み可能な延長部を含むことを特徴とする請求項１から２１のいずれか一項に記載の汎用電子歯科装置。
【請求項２８】
前記使い捨てヘッド（１８）が、液体を拡散可能にするごく小径の毛細管（１８ｂ）により延長されるスリーブ（１８ａ）から構成されることを特徴とする請求項２７に記載の汎用電子歯科装置。
【請求項２９】
振動処置用の接続エンドピース（１０ｅ）の前記中空の円筒本体（１００）が、前記第１の開口部（１００ｂ）の反対側に、注入口（１５０ａ）に沿って構成された延長部を含み、その自由端が、前記装置の振動装置（１１）からの振動を正確な領域に伝達可能にする小球（１５０ｂ）を支持していることを特徴とする請求項１から２１のいずれか一項に記載の汎用電子歯科装置。
【請求項３０】
２成分複合材料の注入用の接続エンドピース（１０ｆ）の前記中空の円筒本体（１００）が、前記第１の開口部（１００ｂ）の反対側に逆Ｕ字形の横長開口部（１１１ｂ）を有する注入口（１１１ａ）を含み、この開口部の内部に、前記接続エンドピース（１０ｆ）のピストン（１１０ｃ）により作動される２個の並列ピストン（１９ａ、１９ｂ）を含む２成分カプセル（１９）がクリック係止されることを特徴とする請求項１から２１のいずれか一項に記載の汎用電子歯科装置。
【請求項３１】
振動により歯と歯の間の隙間にやすりをかけるための接続エンドピース（１０ｇ）の前記中空の円筒本体（１００）が、前記固定手段（１３）および前記認識手段（１２）の反対側で支持ヘッド（１１２ａ）に結合され、前記支持ヘッドが、前記円筒本体の水平軸に対して垂直に２個の平行な対向分枝（１１２ｂ、１１２ｃ）を含んで、前記電子歯科装置（１）の振動装置（１１）を介して振動する研磨ベルト（１１２ｅ）を設置かつ固定可能にすることを特徴とする請求項１から２１のいずれか一項に記載の汎用電子歯科装置。
【請求項３２】
振動による研磨用の接続エンドピース（１０ｉ）の前記中空の円筒本体（１００）が、その延長線上かつ前記固定手段（１３）および前記認識手段（１２）の反対側で支持ヘッド（１１３ａ）に結合され、前記支持ヘッドがその中心に内側ボア（１１３ｂ）を含み、前記電子歯科装置（１）の振動装置（１１）を介して振動する尖った輪郭の研磨コーナー―部（１１３ｃ）を設置かつ固定可能にすることを特徴とする請求項１から２１のいずれか一項に記載の汎用電子歯科装置。
【請求項３３】
歯茎の振動処置用の接続エンドピース（１０ｈ）の中空の円筒本体（１００）が、その延長線上かつ前記固定手段（１３）および前記認識手段（１２）の反対側で支持ヘッド（１１３ａ）に結合され、前記支持ヘッドがその中心に内側ボア（１１３ｂ）を含み、前記電子歯科装置（１）の振動装置（１１）を介して振動する先端部（１１３ｄ）を設置かつ固定可能にすることを特徴とする請求項１から２１のいずれか一項に記載の汎用電子歯科装置。
【請求項３４】
振動による歯管の歯髄治療用の接続エンドピース（１０ｊ）の前記中空の円筒本体（１００）が、その延長線上でかつ前記固定手段（１３）および前記認識手段（１２）の反対側で、支持ヘッド（１１４ａ）に結合され、前記支持ヘッドが、その一端で前記円筒本体の水平軸方向に対して垂直な方向に固定軸（１１４ｂ）を含み、前記固定軸が、前記電子歯科装置（１）の振動装置（１１）を介して振動する円錐形の輪郭のプラスチックニードル（１１４ｃ）をはめ込み可能にすることを特徴とする請求項１から２１のいずれか一項に記載の汎用電子歯科装置。
【請求項３５】
前記細長い本体（２）の内部に、応力をつなぐ要素（２００）を含み、その一端が、電動モータまたは電動減速機（５）に固定され、他端が自由端であって、前記細長い本体（２）の内部に固定するために対応する接続エンドピース（１０ａ〜１０ｊ）の固定手段（１３）と協働する固定手段（２０１）を含むことを特徴とする請求項１に記載の汎用電子歯科装置。
【請求項３６】
前記応力をつなぐ要素（２００）が、電動モータまたは電動減速機（５）を収容可能にする第１の内側ボア（２０２）を含む円筒スリーブ（２１０）から構成されることを特徴とする請求項３５に記載の汎用電子歯科装置。
【請求項３７】
前記円筒スリーブ（２１０）が、その外周かつ前記第１の内側ボア（２０２）の位置に、前記電動モータまたは電動減速機（５）に前記応力をつなぐ要素（２００）を固定する固定手段（２１１）を含むことを特徴とする請求項３５に記載の汎用電子歯科装置。
【請求項３８】
前記円筒スリーブ（２１０）が、前記第１の内側ボア（２０２）の延長線上に第２の内側ボア（２０３）を含み、前記第２の内側ボアが、前記応力をつなぐ要素（２００）の自由端位置で第３の内側ボア（２０４）に通じ、前記第３の内側ボアの内部に、対応する接続エンドピース（１０ａ〜１０ｊ）を固定するための前記固定手段（２０１）が配置されることを特徴とする請求項３５および３６に記載の汎用電子歯科装置。
【請求項３９】
前記固定手段（２０１）は、第３のボア（２０４）の内面で、対応する接続エンドピース（１０ａ〜１０ｊ）の円筒本体（１００）に設けられた係合形状の溝と協働してバヨネットロックシステムを形成する突起（２０５）から構成されることを特徴とする請求項１８および３８に記載の汎用電子歯科装置。
【請求項４０】
前記第２の内側ボア（２０３）が、前記押圧軸（６）に結合される保護管（６ｂ）の並進ガイドを行う輪郭を有することを特徴とする請求項６および３８に記載の汎用電子歯科装置。
【請求項４１】
前記円筒スリーブ（２１０）が、その外周に少なくとも１つの平面部（２０６）を有し、前記平面部が、前記細長い本体（２）の内面に設けられた係合形状のボス（２０９）と協働して、前記応力をつなぐ要素（２００）がその水平軸を中心として回転駆動されないようにすることを特徴とする請求項１および３６に記載の汎用電子歯科装置。
【請求項４２】
前記応力をつなぐ要素（２００）が絶縁材料から形成されることを特徴とする請求項３５に記載の汎用電子歯科装置。
【請求項４３】
前記応力をつなぐ要素（２００）が金属材料から形成されることを特徴とする請求項３５に記載の汎用電子歯科装置。
【請求項４４】
一方では、前記歯科装置（１）の内部への固定用の固定手段（１３）を含み、他方では、接続エンドピースの接続時に作動されて前記装置の制御プログラムの１つを始動可能にする認識手段（１２）を含むことを特徴とする汎用電子歯科装置のための接続エンドピース。
【請求項４５】
請求項１８から２２のいずれか一項に記載の特徴を備えた中空の円筒本体（１００）を含むことを特徴とする、請求項２３に記載の汎用電子歯科装置用の接続エンドピース。
【発明の詳細な説明】
【技術分野】
【０００１】
本発明は、たとえば生体材料または麻酔薬を入れた様々なカプセルを配置可能にする押圧制御式の汎用電子歯科装置に関する。
【背景技術】
【０００２】
ピストル、ペン、または注射器の形状を有する各種の手動式、電気式のアプリケータが知られている。
【０００３】
手動式のアプリケータは、米国特許第４２９５８２８号明細書と米国特許第５３０６４１７号明細書からはピストル形状のもの、あるいは仏国特許第２５３５２０６号明細書と米国特許第４６９３６８４号明細書からはペン形状のものが知られている。これらは、一方では、付与すべき材料に応じて交換される様々なヘッドを受容可能であり、他方では、医師が押圧機構（ｓｙｓｔｅｍｅ  ｄｅ  ｐｏｕｓｓｅｅ）を多少とも強く押すことによって付与力（ｆｏｒｃｅ  ｄ’ａｐｐｌｉｃａｔｉｏｎ）が発生する機械的な押圧システムから構成される。
【０００４】
米国特許第３３９５７０４号明細書と米国特許第６１５９１６１号明細書に記載された電気式のアプリケータに関しては、これらは、たとえばもっぱら麻酔液だけを付与可能な単一の押圧力を有する押圧装置から一般に構成されていることに気づく。
【０００５】
多数のアプリケータが存在し、これらは３つの大きなカテゴリーすなわちピストル、注射器、あるいはまたペンを形成するアプリケータに分類されうる点に注目される。
【０００６】
ピストルまたは注射器の形状を有するアプリケータは、人間工学的な問題を提起することが確認されてあり、その結果、：
・医師とその患者が快適でない；
・付与不良による処置の品質低下；
・診察室内で場所を取り（収納物が多すぎる）、診察室の適正な整理整頓に影響し、著しい時間損失となる。
【０００７】
ピストルまたは注射器の形状のアプリケータを使用すると、姿勢が不安定になることが多々発生し、すなわち
→手が付与領域から離れる；
→歯科医にとって支点がない；
→手首が前腕の延長線上にない（手根管が挟まれる）
→肘の関節が閉じて体から離れ、肩が開いてしまう。
→ケアする領域が正しく見えるようにするために頭がねじれる。この動きを補正するにはバランスをとることを余儀なくされる。
したがって、医師は、次のような筋肉骨格系疾患（ＴＭＳ）を完全に患う対象（ｐａｎｅｌ）となる：
レ  頸部痛
レ  回線筋腱板損傷
レ  上腕骨外側上顆炎
レ  肘頭と上腕骨内側上顆の間の陥凹部における尺骨神経の圧迫
レ  フローゼアーケード（橈骨側トンネル部）における橈骨神経の圧迫
レ  手と指の伸筋の腱炎
レ  手と指の屈筋の腱炎
レ  ドケルバン病
レ  手根骨症候群
レ  ギヨン管内の尺骨神経の圧迫
レ  器具の振動によって生じるレイノー症候群
レ  器具の振動によって生じる周辺神経疾患
レ  肘、手首、指の関節症
これらの不調は歯科外科医の職業では早々に出現する。なぜなら歯科外科医の７０％がたった３年の実務を経ただけで上腕部の痛みを訴えているからである。
他方で、今日知られている器具全体による虫歯に対する完全なケアシーケンスを調べると、不適切な器具類の使用が原因と思われる一連の不具合が認められる。
医師がこうしたケアプロトコルを実現する場合、次のような不具合に気づく：
・歯科医は作業エリアよりも口の外で多くの時間をかけている。
・器具を変える必要があるたびに、自分の前の台に置くことができなかった器具が置かれている背後の作業台の方を振り返るために外傷性の脊柱回転を行う。
・患者が口を閉じている間、引き出しの中を探すために定期的に集中力を切らし、治療部位が唾で汚染される。
・たった１本の虫歯をケアするために最大８個の器具を探さなければならない。
・付与タッチを全く感じないので自分の動作コントロールがうまくいかない。
【０００８】
同様に、歯科診察室の収益性の経済的な問題が歯科外科医の実務につきまとうようになったことが指摘される。
【０００９】
歯科外科医は診察室のあらゆる管理段階で時間を節約するためのプロトコルを絶えず最適化しようとしている。目標は、各々にとって快適になるようにアシスタントとよりよく連携しながらアームチェアでの作業を最適化することにある。
【００１０】
そのため、一方では、治療行為に必要なすべての器具全体をカセット内にまとめておき、他方では、同行為に必要な消耗品全体をトレイにまとめておくことはごく簡単である。
【００１１】
上記行為に対応するカセットやトレイは作業面に配置される。すべての設備がこの２つの容器内にあるので、医師とアシスタントは引き出しの中の器具を探さなくてすむ。
【００１２】
ところで、ピストルまたは注射器型の現行のアプリケータは、ひどくかさばるのでカセット内に組み込むことができない。
【００１３】
さらに、システムが増えると診察室はいっぱいになってしまう。そうすると、医師によるケア時もアシスタントによる器具の洗浄時も組織的な動作にマイナスの影響が及ぼされる。
【発明の概要】
【発明が解決しようとする課題】
【００１４】
本発明による押圧制御式の汎用電子歯科装置は、器具のケアシーケンスと本質的な処置品質とを同時に高めるために最適化された。
【００１５】
同様に、本発明による押圧制御式の汎用電子歯科装置の設計は、器具の取扱いサイクル内に完全に組み込まれて、歯科現場の全体的な機能を最適化するとともに、無視できない収益性の利得を導くことができるように構成された。
【００１６】
さらに、本発明の目的は、同様に、汎用電子歯科装置用の接続エンドピースに関する。
【課題を解決するための手段】
【００１７】
本発明による押圧制御式の汎用電子歯科装置は細長い本体から構成され、その内部に、電動モータまたは電動減速機を供給して押圧軸を駆動可能にするバッテリが配置され、上記押圧軸が、一連の接続エンドピースに帰属してペン状の細長い本体の内部でロックされる接続エンドピースと協働するように構成され、各エンドピースが、一方では、細長い本体の内部への固定用の固定手段を含み、他方では、電子基板にあらかじめ組み込まれた制御プログラムの１つを始動可能な、エンドピース接続時に作動される認識手段を含み、電子基板が上記本体の内部に収容され、この基板が細長い本体の外面に配置された制御ボタンに接続されており、上記エンドピースの所定の制御プログラムに応じて電動モータまたは電動減速機を制御することによりエンドピースを制御する。
【００１８】
本発明による電子歯科装置は細長い本体を含み、この本体は、作業端部から最も離れた端部側にほぼ円筒形の輪郭を有する第１のスペースを含み、このスペースがカバーにより閉じられて、その下部でバッテリを受容する。
【００１９】
本発明による電子歯科装置は第１のスペースの上部を含み、この上部は、電動モータまたは電動減速機と押圧軸の上にくるように細長い輪郭を有する制御電子基板をバッテリの上に設置かつ固定可能であり、細長い本体の外側上部に配置された制御ボタンと協働するようにされている。
【００２０】
本発明による電子歯科装置は細長い本体を含み、この本体は、第１のスペースの延長線上にガイドベースを含み、ガイドベースは、押圧軸の駆動を保証する電動モータまたは電動減速機をバッテリの延長線上に配置可能である。
【００２１】
本発明による電子歯科装置は電気モータまたは電動減速機を含み、この電気モータまたは電動減速機は、押圧軸にモータの回転応力を伝達して押圧軸が並進移動できるように、結合要素を介して押圧軸と協働する駆動軸を含む。
【００２２】
本発明による電子歯科装置は結合要素を含み、この結合要素は、内部に電動モータまたは電動減速機の駆動軸が固定される第１の内側ボアを含むスリーブから構成され、その一方でスリーブは第１のボアの延長線上に第２の内側ボアを含み、第２の内側ボアがねじ切りされていて、上記装置の押圧軸を構成する保護管（ｄｏｉｇｈｔ  ｄｅ  ｇａｎｔ）に外周で結合されるねじ切りロッドと協働する。
【００２３】
本発明による電子歯科装置は、制御電子基板に接続される振動装置を押圧軸の下に含み、対応するエンドピースの内部への波動の拡散を可能にする。
【００２４】
本発明による電子歯科装置は認識手段を含み、認識手段は、電子基板に配置された光センサにより分析されるコードから構成され、細長い本体内にロックされるエンドピースに対応するプログラムを始動可能である
本発明による電子歯科装置は、遠隔センサにより分析されるＴａｇまたはＲｆｉｄコードの、円筒本体外面への印刷から構成される認識手段を含む。
【００２５】
本発明による電子歯科装置は認識手段を含み、この認識手段が、上記エンドピースの周辺に配置された端子領域（ｐｌｏｔｓ）から構成され、電子基板に配置されたスイッチを作動させて、細長い本体内にロックされるエンドピースに対応するプログラムを始動可能である。
【００２６】
本発明による電子歯科装置は、バッテリの保持および充電を保証する再充電ベースへの上記装置の設置を可能にする接続（ｃｏｎｎｅｘｉｏｎ）手段を含む。
【００２７】
本発明による電子歯科装置は、細長い本体への設置時に接続エンドピースの各々をあらかじめ角度的に位置決めする誤作動防止装置を含む。
【００２８】
本発明による電子歯科装置は、中空の円筒本体の外周にある平面部により形成される誤作動防止装置を含む。
【００２９】
本発明による電子歯科装置は、中空の円筒本体の外側に至る延長部を平面部が有する誤作動防止装置を含む。
【００３０】
本発明による電子歯科装置は、中空の円筒本体の外周に対する肉厚部として平面部が設けられた誤作動防止装置を含む。
【００３１】
本発明による電子歯科装置は、中空の円筒本体の厚み内にへこんで形成される誤作動防止装置を含む。
【００３２】
本発明による電子歯科装置は、細長い輪郭を有する肉薄横長形状のブレードから構成された制御ボタンを含み、この制御ボタンが上記本体の上部に取り付けられて、押圧軸により貫通される接続領域の上に至り、ユーザに対してその手の位置に応じた容易な使用を保証する。
【００３３】
本発明による電子歯科装置は、内側ボアを含む中空の円筒本体からそれぞれ構成された接続エンドピースを含み、その外周に、４分の１回転バヨネットシステムから構成されたロック手段を含み、円筒本体に設けられた凸部または溝が、細長い本体の内壁に設けられた窪みまたは突起とそれぞれ協働する。
【００３４】
本発明による電子歯科装置は、内側ボアを含む中空の円筒本体からそれぞれ構成された接続エンドピースを含み、その外周に、弾性変形システムから構成されたロック手段を含み、このロック手段が少なくとも２個の弾性ブレードを円筒本体の外周に含み、これらのブレードが、接続エンドピースの固定時に、細長い本体に設けられた係合輪郭を持つ窓に収容される。
【００３５】
本発明による電子歯科装置は、内側ボアを含む中空の円筒本体からそれぞれ構成された接続エンドピースを含み、その外周に、磁石システムから構成されたロック手段を含み、このロック手段は、円筒本体の末端でその外周に、磁気充電された金属リングを含み、この金属リングが、細長い本体の内部に固定される磁気充電された金属リングで磁化される。
【００３６】
本発明による電子歯科装置は、中空の円筒本体の内側ボアがロック手段の側に第１の開口部を含み、押圧軸を接続エンドピースに通過かつ導入可能にする接続エンドピースを含む。
【００３７】
本発明による電子歯科装置は、単純麻酔または振動麻酔を実施するための接続エンドピースを含み、その中空の円筒本体が、第１の開口部の反対側に、内側ボアの内部に通じる小径の穴を中央に有するねじ切りヘッドを含み、このねじ切りヘッドがニードルホルダを固定可能にし、そのニードルの一部が上記の穴と協働してボアの内部に通じ、麻酔液を満たしたカプセルと密封式に協働し、カプセルは、接続エンドピースが細長い本体の内部にロックされたとき押圧軸に接触する押圧ロッドを備える。
【００３８】
本発明による電子歯科装置は、単純麻酔または振動麻酔を実施するための接続エンドピースを含み、その中空の円筒本体が、その外周に鞘を含み、この鞘は、開放位置と閉鎖位置との間でスライドしてねじ切りヘッドを覆い、ニードルホルダを保護可能である。
【００３９】
本発明による電子歯科装置は、複合材料の注入用の接続エンドピースを含み、その中空の円筒本体が、第１の開口部の反対側に第２の開口部を含み、第２の開口部は、長手方向のロッドに結合されるピストンを内側ボアの内部に設置かつガイド可能であり、ロッドの周囲にはスプリングが配置され、ロッドが、開口部の反対側で、中空の円筒本体に結合される二重注入口（ｄｏｕｂｌｅ  ｂｅｃ）の形状の本体を貫通し、複合材料を含むカプセルを設置かつ固定可能にする。
【００４０】
本発明による電子歯科装置は複合材料の注入用の接続エンドピースを含み、その中空の円筒本体が、第１の開口部の反対側にシングル注入口の形状の本体を含み、シングル注入口の形状の本体は、二重混合物カプセルを設置かつ固定するためにピストンのロッドにより貫通される単一の受容スペースを有する。
【００４１】
本発明による電子歯科装置は、シリコーン注入用の接続エンドピースを含み、その中空の円筒本体が、第１の開口部の反対側に、クランク管の輪郭を有する延長部を含み、一方で第２の開口部は、接続エンドピースへのシリコーン充填後、接続エンドピースが細長い本体に接続されるときに押圧軸と協働するプランジャキャップを用いて閉鎖される。
【００４２】
本発明による電子歯科装置は液体注入用の接続エンドピースを含み、その中空の円筒本体が、第１の開口部の反対側に、小径の直線管に沿って構成されて使い捨てヘッドを密封式にはめ込み可能な延長部を含む。
【００４３】
本発明による電子歯科装置は液体注入用の接続エンドピースを含み、その使い捨てヘッドが、液体を拡散可能にするごく小径の毛細管により延長されるスリーブから構成される。
【００４４】
本発明による電子歯科装置は振動処置用の接続エンドピースを含み、その中空の円筒本体が、第１の開口部の反対側に、注入口に沿って構成された延長部を含み、その自由端が、上記装置の振動装置からの振動を正確な領域に伝達可能にする小球を支持している。
【００４５】
本発明による電子歯科装置は、２成分複合材料の注入用の接続エンドピースを含み、その中空の円筒本体が、第１の開口部の反対側に逆Ｕ字形の横長開口部を有する注入口を含み、この開口部の内部に、接続エンドピースのピストンにより作動される２個の並列ピストンを含む２成分カプセルがクリック係止される。
【００４６】
本発明による電子歯科装置は、振動により歯と歯の間の隙間にやすりをかけるための接続エンドピースを含み、その中空の円筒本体が、固定手段および認識手段の反対側で支持ヘッドに結合され、支持ヘッドが、円筒本体の水平軸に対して垂直に２個の平行な対向分枝を含んで、電子歯科装置の振動装置を介して振動する研磨ベルトを設置かつ固定可能にする。
【００４７】
本発明による電子歯科装置は、振動による研磨用の接続エンドピースを含み、その中空の円筒本体が、その延長線上かつ固定手段および認識手段の反対側で支持ヘッドに結合され、支持ヘッドがその中心に内側ボアを含み、電子歯科装置の振動装置を介して振動する尖った輪郭の研磨コーナー部（ｃｏｉｎ）を設置かつ固定可能にする。
【００４８】
本発明による電子歯科装置は、歯茎の振動処置用の接続エンドピースを含み、その中空の円筒本体が、その延長線上かつ固定手段および認識手段の反対側で支持ヘッドに結合され、支持ヘッドがその中心に内側ボアを含み、電子歯科装置の振動装置を介して振動する先端部（ｐｏｉｎｔｅ）を設置かつ固定可能にする。
【００４９】
本発明による電子歯科装置は、細長い本体の内部に、応力をつなぐ要素を含み、その一端が電動モータまたは電動減速機に固定され、他端が自由端であって、細長い本体の内部に固定するために対応する接続エンドピースの固定手段と協働する固定手段を含む。
【００５０】
本発明による電子歯科装置は、応力をつなぐ要素を含み、この要素が、電動モータまたは電動減速機を収容可能にする第１の内側ボアを含む円筒スリーブから構成される。
【００５１】
本発明による電子歯科装置が円筒スリーブを含み、この円筒スリーブが、その外周かつ第１の内側ボアの位置に、応力をつなぐ要素を電動モータまたは電動減速機に固定する固定手段を含む。
【００５２】
本発明による電子歯科装置は、第１の内側ボアの延長線上に第２の内側ボアを有する円筒スリーブを含み、第２の内側ボアが、応力をつなぐ要素の自由端位置で第３の内側ボアに通じ、第３の内側ボアの内部に、対応する接続エンドピースを固定するための固定手段が配置される。
【００５３】
本発明による電子歯科装置が円筒スリーブを含み、その固定手段が、第３のボアの内面で、対応する接続エンドピースの円筒本体に設けられた係合形状の溝と協働してバヨネットロックシステムを形成する突起から構成される。
【００５４】
本発明による電子歯科装置が円筒スリーブを含み、その第２の内側ボアが、押圧軸に結合される保護管の並進ガイドを行う輪郭を有する。
【００５５】
本発明による電子歯科装置は、外周に少なくとも１つの平面部を有する円筒スリーブを含み、平面部が、細長い本体の内面に設けられた係合形状のボスと協働して、応力をつなぐ要素がその水平軸を中心として回転駆動されないようにする。
【００５６】
本発明による電子歯科装置は、絶縁（ｉｓｏｌａｎｔ）材料で形成された、応力をつなぐ要素を含む。
【００５７】
本発明による電子歯科装置は、金属材料で形成された、応力をつなぐ要素を含む。
【００５８】
本発明による電子歯科装置は、振動による歯管の歯髄治療用の接続エンドピースを含み、その中空の円筒本体が、その延長線上でかつ固定手段および認識手段の反対側で、支持ヘッドに結合され、支持ヘッドが、その一端で円筒本体の水平軸方向に対して垂直な方向に固定軸を含み、固定軸が、電子歯科装置の振動装置を介して振動する円錐形の輪郭のプラスチックニードルをはめ込み可能にする。
【００５９】
本発明による電子歯科装置は、一方では、この歯科装置の内部への固定用の固定手段を含み、他方では、接続エンドピースの接続時に作動されて装置の制御プログラムの１つを始動可能にする認識手段を含む。
【００６０】
限定的ではなく例として挙げられた添付図面に関する以下の説明から、本発明と、本発明が有する特徴ならびに本発明により得られる長所とがよりよく理解されるであろう。
【図面の簡単な説明】
【００６１】
【図１】本発明による汎用電子歯科装置を示す斜視図である。
【図２】本発明による汎用電子歯科装置を手に持ったところを示す図である。
【図３】本発明による汎用電子歯科装置を手に持ったところを示す図である。
【図４】本発明による汎用電子歯科装置を示す断面図である。
【図５】本発明による汎用電子歯科装置を示す断面図である。
【図６】本発明による汎用電子歯科装置の細長い本体の内部で接続エンドピースの認識手段を示す断面図である。
【図７】本発明による汎用電子歯科装置を用いた単純麻酔または振動麻酔を実施するための接続エンドピースを示す斜視図である。
【図８】本発明による汎用電子歯科装置を用いた単純麻酔または振動麻酔を実施するための接続エンドピースを示す斜視図である。
【図９】本発明による汎用電子歯科装置を用いた単純麻酔または振動麻酔を実施するための接続エンドピースを示す斜視図である。
【図１０】本発明による汎用電子歯科装置を用いた単純麻酔または振動麻酔を実施するための接続エンドピースを示す斜視図である。
【図１１】（記述なし）
【図１２】本発明による汎用電子歯科装置を用いた複合材料の注入（ｉｎｊｅｃｔｉｏｎ）用の接続エンドピースを示す斜視図である。
【図１３】本発明による汎用電子歯科装置を用いた複合材料の注入用の接続エンドピースを示す斜視図である。
【図１４】本発明による汎用電子歯科装置を用いた複合材料の注入用の接続エンドピースを示す斜視図である。
【図１５】本発明による汎用電子歯科装置へのシリコーン注入用の接続エンドピースを示す斜視図である。
【図１６】本発明による汎用電子歯科装置を用いた液体注入用の接続エンドピースを示す分解組立斜視図である。
【図１７】本発明による汎用電子歯科装置を用いた振動伝達用の接続エンドピースを示す斜視図である。
【図１８】本発明による複合材料注入用の接続エンドピースの変形実施形態を示す斜視図である。
【図１９】本発明による複合材料注入用の接続エンドピースの変形実施形態を示す斜視図である。
【図２０】本発明による振動式やすり用の接続エンドピースを示す斜視図である。
【図２１】本発明による振動式やすり用の接続エンドピースを示す斜視図である。
【図２２】本発明による研磨ヘッドを有する接続エンドピースを示す斜視図である。
【図２３】本発明による研磨ヘッドを有する接続エンドピースを示す斜視図である。
【図２４】本発明による振動伝達用の接続エンドピースの変形実施形態を示す斜視図である。
【図２５】本発明による振動伝達用の接続エンドピースの変形実施形態を示す斜視図である。
【図２６】本発明による歯髄治療用の接続エンドピースを示す斜視図である。
【図２７】本発明による歯髄治療用の接続エンドピースを示す斜視図である。
【図２８】本発明による汎用電子歯科装置への設置時に各接続エンドピースの事前の角方向の配置を保証する誤作動防止装置の第１の変形実施形態を示す斜視図である。
【図２９】本発明による汎用電子歯科装置への設置時に各接続エンドピースをあらかじめ角度的に位置決めする誤作動防止装置の第２の変形実施形態を示す斜視図である。
【図３０】本発明による汎用電子歯科装置への設置時に各接続エンドピースをあらかじめ角度的に位置決めする誤作動防止装置の第３の変形実施形態を示す斜視図である。
【図３１】本発明による汎用電子歯科装置の細長い本体の内部への各接続エンドピースのロック手段の変形実施形態を示す図である。
【図３２】本発明による汎用電子歯科装置の細長い本体の内部への各接続エンドピースのロック手段の変形実施形態を示す図である。
【図３３】本発明による汎用電子歯科装置の細長い本体の内部への各接続エンドピースのロック手段の変形実施形態を示す図である。
【図３４】本発明による汎用電子歯科装置の細長い本体の内部への各接続エンドピースのロック手段の変形実施形態を示す図である。
【図３５】本発明による汎用電子歯科装置の細長い本体の内部において、応力をつなぐ要素の配置を示す図である。
【図３６】本発明による汎用電子歯科装置の細長い本体の内部において、応力をつなぐ要素の配置を示す図である。
【図３７】本発明による汎用電子歯科装置の細長い本体の内部において、応力をつなぐ要素の配置を示す図である。
【図３８】本発明による汎用電子歯科装置の細長い本体の内部において、応力をつなぐ要素の配置を示す図である。
【発明を実施するための形態】
【００６２】
図１から図５では、ペンタイプの押圧制御式の汎用電子歯科装置１を示し、この装置は、長手方向の軸ＸＸ’により支持された細長い本体２を含み、細長い本体は、作業端部から最も離れたその端部側に、カバー２ｂにより閉じられるほぼ円筒形の輪郭の第１のスペース２ａを有する。
【００６３】
第１のスペース２ａは、電子歯科装置１を給電可能にするバッテリ３をその下部で受容するように構成されている。バッテリ３は、細長い本体の軸ＸＸ’を中心としてセンタリングされるようにスペース２ａの内部に配置される。
【００６４】
第１のスペース２ａの上部は、バッテリにより直接供給される制御電子基板４をバッテリ３の上に設置かつ固定可能である。
【００６５】
細長い本体２は、第１のスペース２ａの延長線上に、長手方向の軸ＸＸ’に沿って配置可能なガイドベース２ｃを含み、また、バッテリ３の延長線上に、長手方向の軸ＸＸ’に沿って押圧軸６を駆動させる電気モータまたは電動減速装置５を含む。
【００６６】
制御電子基板４は、電動モータまたは電動減速機５と押圧軸６の上にくるように細長い輪郭を有し、細長い本体２の上部、特に電子歯科装置１の作業端部位置に配置された制御ボタン７と協働するようにされる。
【００６７】
制御ボタン７は細長い形状の輪郭を有し、ユーザが手の配置に応じて簡単に使うことができる（図２および図３）。制御ボタン７は、押圧軸６により貫通される接続エリアの上にくるように本体２の上部に設置される肉薄横長ブレード７ａから構成されていることに気づく。
【００６８】
制御電子基板４は、電動モータまたは電動減速機５に接続され、この基板に記録された制御プログラムに応じてこれを制御する。
【００６９】
電子基板４は、現在、異なる密度を有する物質で処置および／または注入をユーザが実施できるようにする異なる６つの制御プログラムを含み、以下を実施する：
−麻酔
−振動麻酔
−高密度複合材料の注入
−流動性の複合材料の注入
−注入なしの振動のみ
−液体注入
電動モータまたは電動減速機５は、結合要素８を介して押圧軸６と協働する駆動軸５ａを含み、結合要素は、軸ＸＸ’を中心とする上記モータの回転応力を押圧軸６に伝達して、押圧軸が軸ＸＸ’に沿って並進移動できるようにする。
【００７０】
このため、結合要素８は、電動モータまたは電動減速機５の駆動軸５ａが内部に固定される第１の内側ボア８ｂを含むスリーブ８ａから構成される。
【００７１】
結合要素８のスリーブ８ａは、第１の内側ボア８ｂの延長線上に第２の内側ボア８ｃを含み、第２の内側ボアはねじ切りされていて、電子歯科装置１の押圧軸６を構成する保護管６ｂに外周で結合されるねじ切りロッド６ａと協働する。
【００７２】
押圧軸６の保護管６ｂは、電子歯科装置１の細長い本体２の内部で並進ガイドされ、この装置を軸ＸＸ’に沿って移動させる。
【００７３】
細長い本体２は、その内部の作業端位置かつ押圧軸６の上に窓２ｄを含み、この窓は、電子制御基板４に結合されるセンサ４ａへの通路を開放する。
【００７４】
電子歯科装置１は、バッテリ３の保持および充電を保証する再充電ベースに装置を設置可能にする充電手段（図示せず）を含む。限定的ではない例として、電子歯科装置１の充電手段は誘導方式とすることができる。
【００７５】
電子歯科装置１は、押圧軸６の延長線上で上記の細長い本体２の内部にロックされる一連の接続エンドピース１０を含む。
【００７６】
図５では、制御電子基板４に接続される振動装置１１を、押圧軸６の下でかつ接続エンドピース１０の付近に含む押圧制御電子歯科装置１を示した。
【００７７】
振動装置１１は、特定の処置を確実に行うために、あるいは、たとえば麻酔薬の拡散時に、接続エンドピースの内部で波動を拡散してエンドピースを振動させる。
【００７８】
振動装置１１は、接続エンドピース１０のタイプと、電子基板４に内蔵される関連制御プログラムとに応じて作動される。
【００７９】
一連の接続エンドピース品１０は、現時点では以下から構成されている：
・麻酔を実施するための接続エンドピース１０ａ
・複合材料の注入用の接続エンドピース１０ｂ
・シリコーン注入用の接続エンドピース１０ｃ
・液体注入用の接続エンドピース１０ｄ
・振動処置用の接続エンドピース１０ｅ
・２成分複合材料注入用の接続エンドピース１０ｆ
・歯と歯の間の隙間の振動式やすり用の接続エンドピース１０ｇ
・歯茎の振動処置用の接続エンドピース１０ｈ
・振動研磨用の接続エンドピース１０ｉ
・振動による歯管の歯髄治療用の接続エンドピース１０ｊ
各接続エンドピース１０ａ〜１０ｊは、内側ボア１００ａを含む中空の円筒本体１００から構成され、その外周に、歯科装置１の押圧軸６の付近にある細長い本体２の内部に設けられたへこみと協働するロック手段１３を含む（図３１〜図３４）。
【００８０】
ロック手段１３は、たとえば１／４回転バヨネットシステムから構成され、円筒本体１００から延在するその凸部１３ａが、細長い本体２の内壁に形成された係合形状の窪み１３ｂと協働する（図３１）。バヨネットシステムは逆転可能であり、すなわち、本発明の目的を変えることなしに、細長い本体２に突起が配置される一方で円筒本体１００内に窪みまたは溝が形成される。
【００８１】
第１の変形実施形態によれば、ロック手段１３は、弾性変形可能なシステム１３ｃから構成され、このシステムは、少なくとも２個の弾性ブレード１３ｄを円筒本体１００の外周に含み、これらのブレードは、接続エンドピース１０ａ〜１０ｊの固定時に、電子歯科装置１の細長い本体２に設けられた係合輪郭を持つ窓１３ｅに収容される（図３２、図３３）。
【００８２】
第２の変形実施形態によれば、ロック手段１３は、磁石システム１３ｆから構成可能であり、このシステムは、円筒本体１００の末端でその外周に、磁気充電された金属リング１３ｇを含み、この金属リングは、電子歯科装置１の細長い本体２の内部に固定される磁気充電された金属リング１３ｈで磁化される（図３４）。
【００８３】
中空の円筒本体１００の内側ボア１００ａは、押圧軸６を接続エンドピース１０ａ〜１０ｊ内に通過かつ導入可能にする開口部１００ｂをロック手段１３の側に含み、円筒本体の反対の端部位置で、対応する接続エンドピースに含まれる物質を抽出（ｅｘｔｒａｉｒｅ）できるようにされている。
【００８４】
図６では、認識手段１２を含む各接続エンドピース１０ａ〜１０ｊの中空の円筒本体１００の部分を示した。認識手段は、電子歯科装置１の細長い本体２の内部に接続エンドピースを接続するときに作動され、電子基板４にあらかじめ組み込まれた制御プログラムの１つを始動することができる。
【００８５】
そのため、中空の円筒本体１００は、その外周でかつロック手段１３の間に認識手段１２を含み、認識手段は、接続エンドピースのロック時に、細長い本体２に設けられた窓２ｄの正面に配置されて電子制御基板４のセンサ４ａと接触する。
【００８６】
認識手段１２は、円筒本体１００の外面に印刷されたコード１２ａから構成可能であり、接続エンドピース１０ａ〜１０ｊのロック位置で、電子制御基板４に配置された光センサ４ａ１により識別かつ読み取られる。
【００８７】
図示されていない別の変形実施形態によれば、認識手段１２は、遠隔センサにより分析されるＴａｇまたはＲｆｉｄコードの、円筒本体１００の外面への印刷から構成可能である。
【００８８】
変形実施形態では、認識手段１２は、円筒本体１００の外周に直線状または星形に配置された端子領域１２ｂから構成可能であり、その少なくとも１つは、接続エンドピース１０ａ〜１０ｊが細長い本体２の内部でロック位置にあるとき、対応するスイッチ４ａ２と接触する（図６および図７）。
【００８９】
図７から図１０では、本発明による電子歯科装置１による単純麻酔または振動麻酔を実施するための接続エンドピース１０ａを示した。
【００９０】
接続エンドピース１０ａの中空の円筒本体１００は、第１の開口部１００ｂの反対側に、内側ボア１００ａの内部に通じる小径の穴１００ｄを中央に有するねじ切りヘッド１００ｃを含む。ねじ切りヘッド１００ｃはニードルホルダ１４を固定可能にし、そのニードルの一部１４ａが穴１００ｄと協働してボア１００ａの内部に通じる。
【００９１】
中空の円筒本体１００は、その外周に鞘１００ｅを含み、この鞘が開放位置と閉鎖位置との間でスライドして、ねじ切りヘッド１００ｃを覆い、ニードルホルダ１４を保護可能である。
【００９２】
円筒本体１００は、内側ボア１００ａの内部でねじ切りヘッド１００ｃの延長線上に、穴１００ｄにより貫通される円筒支持部１００ｆを含み、麻酔液を満たされて押圧ロッド１５ａを備えたカプセル１５を密封固定可能である。
【００９３】
カプセル１５がその支持部１００ｆに固定されたとき、カプセルは、同様に、円筒本体１００のねじ切りヘッド１００ｃにあらかじめ取り付けられたニードルホルダ１４の部分１４ａと協働する。
【００９４】
細長い本体２の内部にエンドピース１０ａを取り付ける前に、押圧軸６に円筒プランジャ１００ｈを配置することが必要である。円筒プランジャは、カプセル１５の押圧ロッド１５ａと直接接触して、押圧軸６の並進移動時にニードルホルダ１４を介して、カプセルに含まれている麻酔物質を排出（ｅｊｅｃｔｉｏｎ）可能にする。
【００９５】
図１１と図１２では、本発明による電子歯科装置１を用いた複合材料の注入用の接続エンドピース１０ｂを示した。
【００９６】
接続エンドピース１０ｂの中空の円筒本体１００は、第１の開口部１００ｂの反対側に第２の開口部１１０ａを含み、この第２の開口部は、長手方向のロッド１１０ｄに結合されるピストン１１０ｃを内側ボア１００ａに設置可能であり、ロッドの周囲には、休止位置でピストンを円筒本体１００の内部に保持可能なスプリング１１０ｅが配置される。
【００９７】
中空の円筒本体１００は、第１の開口部１００ｂの反対側で、ピストン１１０ｃのロッド１１０ｄを通過可能にする穴１１０ｈが中央に穿孔されたショルダ１１０ｇを備えた、二重注入口の形状の本体１１０ｆに結合される。
【００９８】
二重注入口の形態を呈する本体１１０ｆは、複合材料を収容した標準カプセル１６の設置かつ固定用の穴１１０ｈにセンタリングされた２個の受容スペース１１０ｉと１１０ｊを含む。
【００９９】
カプセル１６を備える接続エンドピース１０ｂが電子歯科装置１の細長い本体２の内部に固定され、押圧軸６が、電子基板４により制御される電動モータまたは電動減速機５により作動されるとき、第１の開口部１１０ｂを介して中空の円筒本体１００の内部にカプセルが入り、ピストン１１０ｃと接触する。
【０１００】
押圧軸６は、中空の円筒本体１００の内部でピストン１１０ｃを並進移動可能にし、ピストンのロッド１１０ｄが、注入口１１０ｆの形状を呈する本体に設けられた穴１１０ｈを介してカプセル１６と接触する。ロッド１１０ｄは、スペース１１０ｉと１１０ｊに保持されるカプセル１６に押圧力を及ぼし、内部に収容されている複合材料を抽出させる。
【０１０１】
図１３と図１４に示した変形実施形態では接続エンドピース１０ｂが示されており、その中空の本体１００が、穴１１０ｈにセンタリングされた単一の受容スペース１２０ｂを有する注入口の形状の本体１２０ａに結合され、この受容スペースにピストン１１０ｃのロッド１１０ｄが貫通して二重混合物カプセル１７を設置かつ固定する。
【０１０２】
図１５では、本発明による電子歯科装置１を用いたシリコーン注入用の接続エンドピース１０ｃを示した。
【０１０３】
接続エンドピース１０ｃの中空の円筒本体１００は、開口部１００ｂの反対側に、クランク輪郭を有する小径の管１３０ａの輪郭を呈する延長部を含む。
【０１０４】
中空の円筒本体１００は、第１の開口部１１０ｂによりシリコーンまたは他のあらゆるペースト物質で充填される。その後、中空の円筒本体１００は、プランジャキャップ１３０ｂを用いて閉じられ、このプランジャキャップは、接続エンドピースが細長い本体２に接続されたとき、押圧軸６の応力下で内側ボア１００ａの内部で移動可能である。
【０１０５】
押圧軸６が電動モータまたは電動減速機５により制御され、電子基板４が中空の円筒本体１００の内部でキャップ１３０ｂを移動させ、シリコーンを圧縮して、シリコーンがクランク管１３０ａの自由端位置で出られるようにする。
【０１０６】
図１６では、本発明による電子歯科装置１を用いた液体注入用の接続エンドピース１０ｄを示した。
【０１０７】
接続エンドピース１０ｄの中空の円筒本体１００は、開口部１００ｂの反対側に、小径の直線管１４０ａに沿って構成されて使い捨てヘッド１８を密封式にはめ込み可能な延長部を含む。
【０１０８】
使い捨てヘッド１８は、正確な付与を可能にするごく小径の毛細管１８ｂにより延長されるスリーブ１８ａから構成される。
【０１０９】
中空の円筒本体１００は、開口部１１０ｂにより液体を充填され、その後、プランジャキャップ１４０ｂにより閉鎖される。
【０１１０】
プランジャキャップ１４０ｂは、電子歯科装置１の細長い本体２への接続エンドピース１０ｄの固定時に押圧軸６の自由端へのプランジャキャップのクリック係止を可能にする固定手段１４０ｃを含む。
【０１１１】
押圧軸６は電動モータまたは電動減速機５により制御され、電子基板４は、中空の円筒本体１００の内部でキャップ１４０ｂを移動して液体を圧縮可能であり、直線管１４０ａの自由端の位置および使い捨てヘッド１８の位置で液体が出られるようにされている。
【０１１２】
図１７では、本発明による電子歯科装置１の振動を伝達可能な接続エンドピース１０ｅを示した。
【０１１３】
接続エンドピース１０ｅの中空の円筒本体１００は、第１の開口部１００ｂの反対側に、注入口１５０ａに沿って構成された延長部を含み、その自由端が、電子歯科装置１の振動装置１１からの振動を正確な領域に伝達可能にする小球１５０ｂを支持している。
【０１１４】
図１８と図１９では、複合材料の注入用の変形実施形態を示しており、本発明によるその接続エンドピース１０ｆは、上記のピストン装置１１０ｃが内部でガイドされる中空の円筒本体１００を含む。
【０１１５】
中空の円筒本体１００は、２成分カプセル１９がクリック係止される逆Ｕ字形の横長開口部１１１ｂを有する注入口１１１ａに、その一端で結合される。
【０１１６】
このカプセル１９は、プレート１９ｃにより接続される２個の並列ピストン１９ａ、１９ｂを有するという特徴を有しており、カプセルの内部に収容される２成分を確実に混合するには、これらを同時に作動させることが必要である。
【０１１７】
このため、接続エンドピース１０ｆのロッド１１０ｄに結合されるピストン１１０ｃは、歯科装置１により並進移動し、このロッド１１０ｄの自由端がカプセル１９のプレート１９ｃに当接して２個のピストン１９ａ、１９ｂを同時に移動させる。
【０１１８】
図２０と図２１では、本発明による振動式やすりを可能にする接続エンドピース１０ｇを示した。
【０１１９】
接続エンドピース１０ｇの中空の円筒本体１００は、固定手段１３と認識手段１２の反対側で支持ヘッド１１２ａに結合され、この支持ヘッドが、円筒本体の水平軸に対して垂直に２個の平行な対向分枝１１２ｂ、１１２ｃを含む。
【０１２０】
２個の平行な対向分枝１１２ｂ、１１２ｃは、それらの自由端の位置に、研磨ベルト１１２ｅを設置かつ固定可能にする固定手段１１２ｄをそれぞれ有する。
【０１２１】
接続エンドピース１０ｇが電子歯科装置１の内部に固定されると、認識手段１２は、研磨ベルト１１２ｅを振動させる電子歯科装置の振動装置１１の動作を開始することができる。
【０１２２】
研磨ベルト１１２ｅを備えたこの接続エンドピース１０ｇによって、歯科外科医は、歯の治療詰め物（ｐａｎｓｅｍｅｎｔ）の余剰物にやすりをかけ、あるいは歯と歯の間をクリーニングすることができる。
【０１２３】
図２２と図２３では、本発明による研磨ヘッド付きの接続エンドピース１０ｉを示した。
【０１２４】
接続エンドピース１０ｉの中空の円筒本体１００は、その延長線上かつ固定手段１３と認識手段１２の反対側で支持ヘッド１１３ａに結合され、支持ヘッドがその中心に内側ボア１１３ｂを含み、尖った輪郭の研磨コーナー部１１３ｃを設置かつ固定可能にする。
【０１２５】
接続エンドピース１０ｉが電子歯科装置１の内部に固定されると、認識手段１２は、尖った輪郭のシリコーンブレード１１３ｃを振動させる電子歯科装置の振動装置１１の動作を開始することができる。
【０１２６】
尖った輪郭のシリコーンブレード１１３ｃを備えたこの接続エンドピース１０ｉによって、歯科外科医は、歯と歯の間の隙間を振動によりクリーニングすることができる。
【０１２７】
図２４と図２５では、本発明による振動伝達用の接続エンドピース１０ｈの１つの変形実施形態を示した。
【０１２８】
接続エンドピース１０ｈの中空の円筒本体１００は、その延長線上かつ固定手段１３と認識手段１２の反対側で支持ヘッド１１３ａに結合され、支持ヘッドは、先端部１１３ｄを設置かつ固定可能にする内側ボア１１３ｂをその中心に含む。
【０１２９】
先端部１１３ｄは、外科医が歯にアクセスしやすい湾曲した輪郭を有することができる。
【０１３０】
接続エンドピース１０ｈが電子歯科装置１に固定されると、認識手段１２は、先端部１１３ｄを振動させる電子歯科装置の振動装置１１の動作を開始することができる。
【０１３１】
先端部１１３ｄを備えたこの接続エンドピース１０ｈによって、歯科外科医は歯冠を押さえて振動させ、それらの設置を改善することができる。
【０１３２】
図２６と図２７では、本発明による振動による歯髄失活改善用の接続エンドピース１０ｊを示した。
【０１３３】
接続エンドピース１０ｊの中空の円筒本体１００は、その延長線上かつ固定手段１３と認識手段１２の反対側で支持ヘッド１１４ａに結合され、この支持ヘッドは、その一端で円筒本体の水平軸方向に対して垂直な方向に固定軸１１４ｂを含む。
【０１３４】
固定軸１１４ｂは、その延長線上で円錐形の輪郭のプラスチックニードル１１４ｃをはめ込むことができる。
【０１３５】
接続エンドピース１０ｊが電子歯科装置１の内部に固定されると、認識手段１２は、円錐形の輪郭のプラスチックニードル１１４ｃを振動させる電子歯科装置の振動装置１１の動作を開始することができる。
【０１３６】
円錐形の輪郭のプラスチックニードル１１４ｃを備えたこの接続エンドピース１０ｊによって、歯科外科医は、歯髄治療時にあらかじめ穿孔された歯管の内部に近づいて歯管に振動を伝達し、余分なセメントを除去することができる。
【０１３７】
図２８〜図３０では、電子歯科装置１への設置時に各接続エンドピース１０をあらかじめ角度的に位置決めする誤作動防止装置２０の様々な変形実施形態を示した。
【０１３８】
各々の誤作動防止装置２０は、各接続エンドピース１０の中空の円筒本体１００の周辺で、特に、固定手段１３と認識手段１２を支持する同じエリアに配置される。
【０１３９】
誤作動防止装置２０によって、各接続エンドピース１０をあらかじめ角度的に位置決め可能であり、それによって、固定手段１３と認識手段１２が、電子歯科装置１の内部に配置された係合要素とそれぞれ協働し、接続エンドピース１０を固定かつ認識可能にする。
【０１４０】
図２８は、中空の円筒本体１００の外周にある平面部２０ａによりたとえば形成可能な誤作動防止装置２０の第１の変形実施形態を示している。
【０１４１】
平面部２０ａは、中空の円筒本体１００の外側に至る延長部２０ｂを含むことができる。
【０１４２】
図２９は、中空の円筒本体１００の外周に対して肉厚部にある平面部２０ｃによりたとえば形成可能な誤作動防止装置２０の第２の変形実施形態を示している。
【０１４３】
平面部２０ｃは、中空の円筒本体１００の外側に至る延長部２０ｄを含むことができる。
【０１４４】
図３０は、中空の円筒本体１００の厚み内に窪んで形成された平面部２０ｅによりたとえば形成可能な誤作動防止装置２０の第３の変形実施形態を示している。
【０１４５】
平面部２０ｅは、中空の円筒本体１００の外側に至る延長部２０ｆを含むことができる。
【０１４６】
図３５〜図３８は、応力をつなぐ要素２００を細長い本体２の内部に配置することから主に構成される電子歯科装置１の１つの変形実施形態を示している。
【０１４７】
応力をつなぐ要素２００は、接続エンドピース１０ａ〜１０ｊを電動モータまたは電動減速機５に直接接続することができる。実際、電子歯科装置１に固定された接続エンドピース１０ａ〜１０ｊに応じて、電動モータまたは電動減速機５は０〜２００ニュートンの応力を発生することが必要である。
【０１４８】
押圧力が大きい場合、この押圧力を受ける接続エンドピース１０ａ〜１０ｊを電子歯科装置１内に完全にロックして電動モータまたは電動減速機５と押圧軸６とからなるアセンブリに結合することがぜひ必要である。
【０１４９】
このため、応力をつなぐ要素２００は、その一端に、電動モータまたは電動減速機５に固定可能にする固定手段２１１を含み、その一方で他端は自由端であって、対応する接続エンドピース１０ａ〜１０ｊの固定手段１３と協働する固定手段２０１を含み、細長い本体２の内部への接続エンドピースのロックを保証する。
【０１５０】
応力をつなぐ要素２００は、電動モータまたは電動減速機５を収容可能な第１の内側ボア２０２を含む円筒スリーブ２１０から構成される。
【０１５１】
円筒スリーブ２１０は、その外周で第１の内側ボア２０２の位置に固定手段２１１を含み、この固定手段は２個の対向するボア２０７からたとえば構成され、電動モータまたは電動減速機５の本体に止められる締め付けねじ２０８をボアに設置して応力をつなぐ要素２００を動かないようにすることができる。
【０１５２】
円筒スリーブ２１０の固定手段２１１は、円筒スリーブ２１０の外周で少なくとも１つの平面部２０６により補完可能にされ、平面部は、細長い本体２の内面に設けられた係合形状のボス２０９と協働し、接続エンドピース１０ａ〜１０ｊを内部に固定する際に、応力をつなぐ要素２００がその水平軸を中心として回転駆動されないようにする。
【０１５３】
円筒スリーブ２１０は、第１の内側ボア２０２の延長線上に第２の内側ボア２０３を含み、第２の内側ボアが、応力をつなぐ要素２００の自由端位置で第３の内側ボア２０４に通じ、第３の内側ボアの内部に、対応する接続エンドピース１０ａ〜１０ｊを固定するための固定手段２０１が配置される。
【０１５４】
固定手段２０１は、第３のボア２０４の内面で、対応する接続エンドピース１０ａ〜１０ｊの円筒本体１００に設けられた係合形状の溝と協働してバヨネットロックシステムを形成する突起２０５から構成される。
【０１５５】
第２の内側ボア２０３は、押圧軸６に結合される保護管６ｂの並進ガイドを行う輪郭を有する。
【０１５６】
応力をつなぐ要素２００は、様々な絶縁または非絶縁材料、特にアルミニウム等の金属材料から製造可能である。
【０１５７】
同様に、電子歯科装置１のこの実施形態では、細長い本体２が、制御ボタン７の反対側に、制御プログラムにより提案されるメニューを変えるためのボタン２ｈと、使用される様々なメニューをたとえば表示するスクリーン２ｉとをそれぞれ受容可能な２個の窪み２ｆ、２ｇを含み、ボタンとスクリーンは電子基板４に接続される。
【０１５８】
さらに、上記の説明は例としてのみ挙げられ、発明の範囲を少しも制限するものではなく、記載された実施の細部を他のあらゆる同等物により代替しても発明の範囲を逸脱しないことはいうまでもない。
【図１】
2021519670.tif 000003
【図２】
2021519670.tif 000004
【図３】
2021519670.tif 000005
【図４】
2021519670.tif 000006
【図５】
2021519670.tif 000007
【図６】
2021519670.tif 000008
【図７】
2021519670.tif 000009
【図８】
2021519670.tif 000010
【図９】
2021519670.tif 000011
【図１０】
2021519670.tif 000012
【図１１】
2021519670.tif 000013
【図１２】
2021519670.tif 000014
【図１３】
2021519670.tif 000015
【図１４】
2021519670.tif 000016
【図１５】
2021519670.tif 000017
【図１６】
2021519670.tif 000018
【図１７】
2021519670.tif 000019
【図１８】
2021519670.tif 000020
【図１９】
2021519670.tif 000021
【図２０】
2021519670.tif 000022
【図２１】
2021519670.tif 000023
【図２２】
2021519670.tif 000024
【図２３】
2021519670.tif 000025
【図２４】
2021519670.tif 000026
【図２５】
2021519670.tif 000027
【図２６】
2021519670.tif 000028
【図２７】
2021519670.tif 000029
【図２８】
2021519670.tif 000030
【図２９】
2021519670.tif 000031
【図３０】
2021519670.tif 000032
【図３１】
2021519670.tif 000033
【図３２】
2021519670.tif 000034
【図３３】
2021519670.tif 000035
【図３４】
2021519670.tif 000036
【図３５】
2021519670.tif 000037
【図３６】
2021519670.tif 000038
【図３７】
2021519670.tif 000039
【図３８】
2021519670.tif 000040
【国際調査報告】
2021519670.tif 000041
2021519670.tif 000042
2021519670.tif 000043
2021519670.tif 000044